(57)【要約】【課題】  極めて簡単な構成により、カードを容易に装着でき、かつ確実に保持する。【解決手段】  弾性線材の一端部に密接状あるいは所定のピッチでコイル状に巻回してなる表示用カードを挟持するための挟持部２を形成し、この挟持部から他端部までは支柱部３として延在させた表示用カード止め具１において、挟持部２は、２回りのコイル部を構成する第１および第２リング部２ａ，２ｂを備え、第２リング部２ｂの上方は第１リング部２ａとから離れる方向に曲げられている。【選択図】        図１
2006079033.tif 000002
【特許請求の範囲】
【請求項１】
弾性線材の一端部に密接状あるいは所定のピッチでコイル状に巻回してなる表示用カードを挟持するための挟持部を形成し、この挟持部から他端部までは支柱部として延在させた表示用カード止め具において、
前記挟持部は、少なくとも２回りのコイルを構成する複数のリング部を備え、少なくともその一方のリング部の上方は他方のリング部とから離れる方向に曲げられている、
ことを特徴とする表示用カード止め具。
【請求項２】
前記挟持部は略同じ大きさのリング部で構成されていることを特徴とする請求項１記載の表示用カード止め具。
【請求項３】
前記挟持部の前記一方のリング部と前記他方のリング部はその大きさが異なり、大きい方の前記リング部の上部は小さい方の前記リング部の上部より上方に位置していることを特徴とする請求項１記載の表示用カード止め具。
【請求項４】
前記挟持部の前記一方のリング部は円形をしており、前記他方のリング部はその上部が前記一方のリング部の上部より高く位置する略楕円形をしていることを特徴とする請求項１記載の表示用カード止め具。
【請求項５】
前記支柱部の下端に前記支柱を支持する支持板が固定されていることを特徴とする請求項１から４のいずれか１項に記載の表示用カード止め具。
【発明の詳細な説明】
【技術分野】
【０００１】  本発明は、商品名や値札などのカードを挟持して陳列台などに設置する表示用カード止め具に関する。
【背景技術】
【０００２】  例えば商店などにおいて、値札、商品名、産地などを表示するカードを配置する場合、基板に線状の支柱を立設し、支柱の先端にクリップを取り付けた止め具が広く使用されている。また、例えば特許文献１および２には、支柱を線状体で構成し、支柱の先端を複数回巻回してコイル部を作り、このコイル部にカードを差し込むようにして保持する止め具が提案されている。【０００３】  しかしながら、上記特許文献１および２の止め具においては、コイル間にカードを差し込ませるためには腰の強い材料でカードを構成したり、コイル間に爪をいれて押し広げて隙間を作り、その隙間にカードを挿入するというような手間がかかるなどの不具合がある。そこで、例えば特許文献３においては、コイル側の端部を支柱とコイル部の軸方向長さ分だけ間隔をあけた状態で相対するように延長させ、この延長部と支柱とを同時に摘むことにより、コイル部の上部の線間に隙間を形成し、この隙間にカードを差し込むことが提案されている。
【特許文献１】  特開平１０−３２６１号公報
【特許文献２】  実開昭６１−１４０３８１号公報
【特許文献３】  特許第３５５１４１６号公報
【発明の開示】
【発明が解決しようとする課題】
【０００４】  上記特許文献３により、支柱を構成する線状体を延長するだけの簡単な構成により、コイル部の上部に差込用の隙間を作ることができ、カードの装着は簡単に行えるが、カード装着時には延長部と支柱とを同時に摘むという操作が必要になり、多量のカードをそれぞれの止め具に取り付ける場合には、わずらわしくなってしまう。【０００５】  本発明はこのような従来技術の実情に鑑みてなされたもので、その目的は、極めて簡単な構成により、容易にカードを装着でき、かつ確実に保持することである。
【課題を解決するための手段】
【０００６】  前記目的を達成するため、第１の手段は、弾性線材の一端部に密接状あるいは所定のピッチでコイル状に巻回してなる表示用カードを挟持するための挟持部を形成し、この挟持部から他端部までは支柱部として延在させた表示用カード止め具において、前記挟持部は、少なくとも２回りのコイルを構成する複数のリング部を備え、少なくともその一方のリング部の上方は他方のリング部とから離れる方向に曲げられていることを特徴としている。【０００７】  第２の手段は、第１の手段の前記挟持部が略同じ大きさのリング部で構成されていることを特徴としている。【０００８】  第３の手段は、第１の手段の前記挟持部の前記一方のリング部と前記他方のリング部はその大きさが異なり、大きい方の前記リング部の上部は小さい方の前記リング部の上部より上方に位置していることを特徴としている。【０００９】  第４の手段は、第１の手段の前記挟持部の前記一方のリング部は円形をしており、前記他方のリング部はその上部が前記一方のリング部の上部より高く位置する略楕円形をしていることを特徴としている。【００１０】  第５の手段は、第１から第４の手段の前記支柱部の下端には、この支柱を支持する支持板が固定されていることを特徴としている。
【発明の効果】
【００１１】  本発明によれば、挟持部にカード差込用の隙間が予め形成されるので、容易に挟持部にカードを差し込むことができる。
【発明を実施するための最良の形態】
【００１２】  以下、本発明を実施するための最良の形態を説明する。
図１から図３により本発明の第１の実施の形態を説明する。図１は第１の実施の形態における表示用カード止め具を示す斜視図、図２は図１の挟持部の上部にカードが差し込まれた状態を示す正面図、図３（ａ）および（ｂ）は図１の挟持部にカードが差し込まれた状態を示す側面図である。【００１３】  表示用カード止め具１は、１本の断面が円形の弾性線材で構成され、その一端側には２回りのコイル部を形成することによりカード１０を保持するための挟持部２が形成され、この挟持部２から他端部までは直線状に延ばして支柱部３となっている。弾性線材としては、バネ鋼などの金属線や弾性を有する合成樹脂による線材でよく、耐食性が求められる場合はリン青銅のような銅合金やステンレス鋼を用いてもよい。挟持部２は丸形に巻回しているが、用途やデザイン的な要求にしたがって、楕円形や多角形などにしてもよい。
挟持部２は支持部３から形成される第１リング部２ａと、この第１リング部２ａに密接状に隣接する第２リング部２ｂとから構成され、第２リング部２ｂの上部は外方に曲げられ、第１リング部２ａの上部との間に隙間２ｃが形成されている。この隙間２ｃによって、図２に示すように、なんら抵抗無くカード１０を第１リング部２ａと第２リング部２ｂ間に落し込むことができる。【００１４】  上述したように構成されているので、この表示用カード止め具１にカード１０を保持させるには、図３（ａ）に示すように、まずカード１０を挟持部２の第１リング部２ａと第２リング部２ｂ間の隙間２ｃに落し込み、さらに押し込むようにしていけば、カード１０の厚みによって第１リング部２ａと第２リング部２ｂの密接部分は押し開かれ、簡単にカード１０を差し込むことができ、その後カード１０は第１リング部２ａと第２リング部２ｂの密接部によって狭圧され、かつ第１リング部２ａと第２リング部２ｂの境界部である内周底部２ｄがストッパの役割を果たしてカード１０の下端を保持する。なお、挟持部２は２回りのコイルで構成しているが、３回りさせて３つのリング部を構成し、軸方向両端のリング部の上部をそれぞれ外側に曲げて、２つの隙間を作るようにすれば、２枚のカードを保持することができる。また、厚いカードを挟持する場合は、挟持部２のコイルを構成する第１リング部２ａと第２リング部２ｂとの間に、軽い押圧により差し込むことができるように、カード厚よりは小さい隙間が予めできるようなピッチに設定しておけばよい。【００１５】  支柱部３は直線状になっているので、段ボール、発砲スチロール、土あるいは食材などに差し込むことが可能である。したがって、カード１０に商品名や産地などを記載し、そのカードを本表示用カード止め具１に保持させ、支柱部３を商品の入った段ボール箱や発砲スチロール箱に差し込んだり、植木鉢の土に差し込むことができる。【００１６】  図４は上述の表示用カード止め具１を支持板に取り付けた場合の斜視図である。すなわち上述した表示用カード止め具１では支柱部３のみでは自立できないので、自立させるために、支持板２０に支柱部３を支持するようにしている。すなわち、支持板２０は平板状の基部２１とこの基部２１の一端に形成された立上り部２２からなり、立上り部２２には支柱部３が略垂直方向から圧入されるように切片２２ａが上下方向に間隔をおいて２つ設けられている。これにより、支柱部３を基板２１に対して略垂直支持することができ、支柱部３を刺すことができないような商品に対しては、この支持板２０の基部２１を商品や箱などの下に敷くようにすれば、表示用カード止め具１を自立させることができる。なお、支柱部３は丸い線材で構成されているので、切片２２ａに圧入して固定しておいても長期間の使用によっては、回ってしまう可能がある。そのような事態を防ぐためには、支柱部３の下端部３ａのみ平板状につぶしておくとよい。【００１６】  次に、図５と図６より本発明の第２の実施の形態を説明する。図５は第２の実施の形態を示す斜視図、図６（ａ）および（ｂ）は図５の挟持部にカードが差し込まれた状態を示す側面図である。この第２の実施の形態における表示用カード止め具３０���、上述した第１の実施の形態と同様に、１本の弾性線材で構成され、その一端側には２回りのコイル部で構成された挟持部３１が形成され、この挟持部３１から他端部までは直線状に延ばして支柱部３２となっている。挟持部３１は真円状の第１リング部３１ａと、楕円形をし、上部は第１リング部３１ａの頂点より高くなっている第２リング部３１ｂとで構成されている。第１リング部３１ａの上部は外方に曲げられ、第２リング部２ｂの側面との間に隙間３１ｃが形成されている。【００１７】  したがって、図６に示すように、隙間３１ｃにカード１０を差し込む際、第２リング部３１ｂの側面がガイドとなり、容易に隙間３１ｃにカード１０を落し込むことができ、その後の刺し込みが容易に行える。また、カード１０を挟持部３１に完全に挿入した後は、第２リング部３１ｂの側面がカード１０の背当てとなり、カード１０の折り曲げを防止することができる。
この第２の実施の形態においては、真円状の第１リング部３１ａと、楕円形の第２リング部３１ｂとで挟持部３１を構成しているが、同じ形状ではあるがその大きさが異なる２つのリングで構成し、大きい方のリングの上部が小さい方のリングの上部より上方に位置するように配置してもよい。
【図面の簡単な説明】
【００１８】
【図１】  本発明に係る表示用カード止め具の一実施の形態を示す斜視図である。
【図２】  図１の挟持部の上部にカードが差し込まれた状態を示す正面図である。
【図３】  （ａ）および（ｂ）は図１の挟持部にカードが差し込まれた状態を示す側面図である。
【図４】  図１の止め具を支持板に取り付けた場合の斜視図である。
【図５】  本発明に係る表示用止め具の他の実施の形態を示す斜視図である。
【図６】  （ａ）および（ｂ）は図５の挟持部にカードが差し込まれた状態を示す側面図である。
【符号の説明】
【００１９】  １，３０  表示用カード止め具
２，３１  挟持部
２ａ，３１ａ  第１リング部
２ｂ，３１ｂ  第２リング部
２ｃ，３１ｃ  隙間
３，３２  支柱部
１０  カード
【図１】
2006079033.tif 000003
【図２】
2006079033.tif 000004
【図３】
2006079033.tif 000005
【図４】
2006079033.tif 000006
【図５】
2006079033.tif 000007
【図６】
2006079033.tif 000008